(57)【要約】【課題】磁気検知用のリードスイッチを遊技盤に適切に配置し得るパチンコ機を提供する。【解決手段】リードスイッチ２５とコネクタ３２とを実装したプリント基板２７を、ハウジング２６の内部に配設して一体化してなる磁気検知ユニット２２を設け、該磁気検知ユニット２２は、リードスイッチ２５が実装されたプリント基板２７を、その端部をハウジング２６の内部に形成された保持溝２９に嵌合させることによって、ハウジング２６の内部に保持され、該磁気検知ユニット２２は、遊技盤８の背面に前方へ形成された装着穴２３に前記ハウジング２６を嵌着させることによって遊技盤８に配設される構成とした。【選択図】図５
2010057762.tif 000002
【特許請求の範囲】
【請求項１】
リードスイッチを実装したプリント基板を、ハウジングの内部に配設して一体化してなる磁気検知ユニットを備え、
該磁気検知ユニットは、リードスイッチが実装されたプリント基板を、その端部をハウジングの内部に形成された保持溝に嵌合させることによって、ハウジングの内部に保持され、
該磁気検知ユニットは、遊技盤の背面に形成された装着穴に前記ハウジングを嵌着させることによって遊技盤に配設されていることを特徴とするパチンコ機。
【請求項２】
前記プリント基板は、ハウジングの背面側に形成された開口から前記ハウジングの内部に収容されていることを特徴とする請求項１記載のパチンコ機。
【請求項３】
前記プリント基板には複数のリードスイッチが実装されていることを特徴とする請求項１又は請求項２に記載のパチンコ機。
【請求項４】
前記リードスイッチは、前記プリント基板の配線を介して、該プリント基板に実装されたコネクタと接続されていることを特徴とする請求項１乃至請求項３のいずれか１項に記載のパチンコ機。
【請求項５】
前記磁気検知ユニットのハウジングの外側には、無端環状の強磁性体からなる磁気シールドが周設されていることを特徴とする請求項１乃至請求項４のいずれか１項に記載のパチンコ機。
【発明の詳細な説明】
【技術分野】
【０００１】
本発明は、磁石による不正を検知するセンサを備えたパチンコ機に関し、特にセンサとしてリードスイッチを用いたものに関する。
【背景技術】
【０００２】
従来、パチンコ遊技では、磁石を用いて遊技盤面を転動する遊技球を誘導したり、滞留させたりすることで過剰に入賞を発生させる不正が問題となっている。かかる不正を防止すべく、最近のパチンコ機では、遊技盤面に磁石を近づけると遊技盤に配設された磁気センサがこれを検知して、警告ランプを点灯させるなどの対策が取られている。そして、かかる磁気センサとしては低廉なリードスイッチが広く採用されている。リードスイッチは、強磁性体製のリード上に接点を取り付けてガラス管に封入してなる杆状スイッチであり、外部から磁界が加わると作動するように設計されている。従来、かかるリードスイッチを遊技盤に配設する場合には、遊技盤の背面に非貫通状の装着穴を形成し、該装着穴にリードスイッチを挿入し、保持している（特許文献１参照）。
【０００３】
ところで、リードスイッチは、遊技盤面に対する設置角度によって磁石を検知できる検知領域が変化することが知られている。すなわち、従来のパチンコ機のように、リードスイッチの長尺方向が遊技盤面に対して垂直になるよう配置した場合は、図１８（ａ）に示すように、リードスイッチ２５の正面（図中左方）に検知領域Ｃが形成され、該リードスイッチ２５によって遊技盤面Ａの正面にある磁石Ｂ２を検知可能となる。しかしながら、かかる場合には検知領域Ｃがリードスイッチ２５の真正面にしか形成されないため、リードスイッチ２５の正面から外れた位置にある磁石Ｂ１，Ｂ３は検知できない。
【０００４】
これに対して、リードスイッチの長尺方向が遊技盤面に対して平行になるように配置した場合には、図１８（ｂ）に示すように、リードスイッチ２５の両端に検知領域Ｃ，Ｃが対をなすように形成されることとなり、遊技盤面Ａ前方の広範囲に検知領域Ｃが形成される。しかしながら、かかる場合では、検知領域Ｃが前方（図中左方）へ広がる距離が短くなり、磁石Ｂ１，Ｂ３が遊技盤面Ａから比較的遠くに離間すると検知できない。また、リードスイッチ２５の真正面に検知領域Ｃが形成されず、リードスイッチ２５の真正面にある磁石Ｂ２を検知できない。
【０００５】
【特許文献１】実開昭５４−１１９４７６号公報  （第５図）
【発明の開示】
【発明が解決しようとする課題】
【０００６】
上述のように、リードスイッチは、遊技盤面に対する設置角度によって検知領域が変化するため、リードスイッチを遊技盤に配設する際にはその設置角度を適切に規定しなくてはならない。しかしながら、リードスイッチは、太さが数ミリ程度の小さく、脆い精密部品であるため、遊技盤に装着する際にリードスイッチの設置角度がずれ易く、リードスイッチの検知領域が設計通りとならないことが多く、検知すべき磁石を検知できなかったり、ソレノイド等の電気機器の発する磁気に反応して誤作動したりする不具合を生じていた。
【０００７】
本発明はかかる問題の解決を試みたものであり、磁気検知用のリードスイッチを遊技盤に正確に配設し得るパチンコ機の提供を目的とする。
【課題を解決するための手段】
【０００８】
本発明は、リードスイッチを実装したプリント基板を、ハウジングの内部に配設して一体化してなる磁気検知ユニットを備え、該磁気検知ユニットは、リードスイッチが実装されたプリント基板を、その端部をハウジングの内部に形成された保持溝に嵌合させることによって、ハウジングの内部に保持され、該磁気検知ユニットは、遊技盤の背面に形成された装着穴に前記ハウジングを嵌着させることによって遊技盤に配設されていることを特徴とするパチンコ機である。
【０００９】
かかる構成にあっては、リードスイッチはプリント基板に実装され、プリント基板はハウジング内部の保持溝に保持され、さらにハウジングは遊技盤の装着穴に嵌着されているため、遊技盤面に対するリードスイッチの角度は正確に規定される。また、リードスイッチはハウジングに収容した状態で遊技盤に取付けできるため、リードスイッチに直接触れずに遊技盤に簡単に装着でき、装着時にリードスイッチを破損するおそれもなくなる。
【００１０】
本発明において、前記プリント基板には複数のリードスイッチが実装されていることが望ましい。かかる構成にあっては、複数のリードスイッチを基板上に適宜配置して、各リードスイッチの検知領域を重ね合わせることによって、広く、隙のない検知領域を形成できる。リードスイッチの最適な配置態様は、磁気検知ユニットの設置場所やリードスイッチの感度等によって変化するため一義的に決定されるものではないが、好適な配置として、二個の杆状のリードスイッチを遊技盤面と垂直な面に対してＴ字状をなすようにハウジング内に配置する構成が提案される。また、二個の杆状のリードスイッチを遊技盤面と垂直な面に対してＶ字状又はハ字状をなすようにハウジング内に配置する構成が提案される。また、二個の杆状のリードスイッチを遊技盤面と垂直な面に対してＸ字状をなすようにハウジング内に配置する構成が提案される。また、二個の杆状のリードスイッチを遊技盤面と平行な直線に沿うようにハウジング内に配置する構成が提案される。また、二個の杆状のリードスイッチを遊技盤面に対してＴ字状をなすようにハウジング内に配置する構成が提案される。また、三個の杆状のリードスイッチを、ハウジング内で前後、左右、上下方向に配置する構成が提案される。
【００１１】
また、本発明において、前記リードスイッチは、前記プリント基板の配線を介して、該プリント基板に実装されたコネクタと接続されている構成が提案される。かかる構成にあっては、該コネクタを介してリードスイッチをパチンコ機の制御装置等と容易に接続できる。特に、プリント基板上にリードスイッチが複数実装される場合には、各リードスイッチを共通のコネクタを介して制御装置等と接続できるため、接続作業が極めて容易となる。
【００１２】
また、本発明において、前記プリント基板は、前記ハウジングの背面側に形成された開口からハウジングの内部に収容される構成が提案される。かかる構成にあっては、ハウジングを遊技盤の装着穴に嵌着させた状態で、背面側の開口を介してプリント基板を着脱可能となる。このため、リードスイッチに不具合が生じた場合には、ハウジングを取り外すことなくプリント基板のみを交換するだけで修理できる。また、磁気検知ユニットを製造する際に、先にハウジングを遊技盤の装着穴に取り付けてから、リードスイッチを実装したプリント基板を背面側からハウジング内に収容するなど、多様な製造方法が可能となる。
【００１３】
また、本発明において、前記磁気検知ユニットのハウジングの外側には、無端環状の強磁性体からなる磁気シールドが周設されている構成が提案される。かかる構成にあっては、磁気シールドによって磁気ノイズを遮断可能となるため、磁気シールドを適切に配置することによって、磁気検知ユニットの周囲に配設されるソレノイド等の電子機器の発する磁気ノイズによってリードスイッチが誤作動するのを防止できる。そして、これにより、磁気検知ユニットを他の電子機器の一層近くに配設可能となるから、磁気検知ユニットの配置の自由度も向上できる。
【００１４】
また、本発明において、ハウジングが、装着穴の奥面を背面側から支持するように遊技盤に固定されている構成が提案される。ここで、装着穴の「奥面」とは、装着穴の内壁面の中で、前方の突き当たりを形成する壁面である。かかる構成にあっては、装着穴の奥面を、磁気検知ユニットのハウジングによって背面側から支持することにより遊技盤を補強できるから、装着穴形成部分において遊技盤の強度が不足せず、遊技球が当たった衝撃で遊技盤が破損することがない。すなわち、本発明によれば、遊技盤の強度を不足させることなく、装着穴の奥面を遊技盤面近くまで形成することができ、磁気検知ユニットを遊技盤面近くに配置することで、リードスイッチの検知領域をより前方に形成できるという利点がある。特に、上述したように、リードスイッチの長尺方向が遊技盤面に対して平行になるように配置する場合には、垂直に配置する場合に比べて装着穴が大きくなり、また、検知領域が前方に広がり難いため、本発明の構成を適用すれば多大な効果が得られる。
【００１５】
また、本発明において、前記遊技盤は、木製合板の前面に樹脂製のセル板を貼付してなるものであり、前記装着穴は木製合板を貫通しており、前記装着穴の奥面は前記セル板の裏面によって構成されることが提案される。かかる構成にあっては、磁気検知ユニットを遊技盤面に露出させない範囲で、可能な限り前方に配置可能となる。
【００１６】
本発明において、前記ハウジングは、前記装着穴の内周面を支持するように遊技盤に固定されていることが提案される。ここで、装着穴の「内周面」とは、装着穴の内壁面の中で「奥面」を除く部分を形成する壁面である。かかる構成にあっては、装着穴を遊技釘の近傍に適切に形成することが可能となり、磁気検知ユニットの配設位置の自由度を高めることができる。すなわち、従来の装着穴であれば、遊技釘の近傍部位に装着穴を形成すると、釘調整の際に加わる負荷によって装着穴の内周面が破損するおそれがあるが、本発明のように装着穴の内周面をハウジングで支持して補強してやれば、釘調整の際に装着穴が破損するおそれが解消される。
【００１７】
本発明において、磁気検知ユニットのハウジングを遊技盤に固定する手段は特に限定されないが、例えば、前記ハウジングは、装着穴に嵌着した状態で遊技盤の背面に当接することとなるフランジ部を備え、該フランジ部を遊技盤の背面に螺子止め又は釘止めされることによって遊技盤面に固定される構成が提案される。
【００１８】
また、前記ハウジングは、その外側面に弾性材を備え、該弾性材を介して装着穴の内周面に弾接することによって遊技盤に固定される構成が提案される。かかる構成にあっては、磁気検知ユニットを釘や螺子で固定する手間が不要であるため、磁気検知ユニットを遊技盤に極めて簡単に装着できる。
【００１９】
また、前記ハウジングは、装着穴の内周面に接着されることによって遊技盤に固定される構成も提案される。かかる構成にあっては、装着穴とハウジングとを、接着剤を介して密着できるため、ハウジングによって装着穴の奥面及び内周面を均一に支持できる。
【発明の効果】
【００２０】
以上のように、本発明によれば、遊技盤面に対するリードスイッチの設置角度を正確に合わせることができ、リードスイッチの検知領域が設計通りの領域に確実に形成できる。このため、本発明のパチンコ機にあっては、リードスイッチが検知すべき磁石を検知しなかったり、ソレノイド等の電気機器の発する磁気に反応して誤作動したりする不具合がなくなる。また、本発明によれば、リードスイッチをハウジングに収容した状態で遊技盤に取付けできるため、リードスイッチの遊技盤への装着作業が簡易なものとなり、また、装着作業の際にリードスイッチが破損するおそれがなくなる。
【発明を実施するための最良の形態】
【００２１】
本発明の実施形態を、以下の実施例に従って説明する。
【００２２】
本実施例のパチンコ機１は、図１に示すように、遊技島（図示省略）に固定される正面視長方形状の外枠２と、該外枠２の開口部分に、開閉可能に配設される前枠３とを備える。該外枠２は、長尺板片を組み付けてなるものであり、その左側部に設けられたヒンジ部材４を介して、前記前枠３を片開き可能に枢支している。
【００２３】
一方、前枠３は、中央上部に、略正方形状の遊技開口５が形成された方形状の樹脂製板からなり、該遊技開口５の下方前面には、前面に上皿１１が回動可能に配設され、さらに、上皿１１の下方には、遊技球を貯留する下皿１２と、この下皿１２の右側に突出する発射ハンドル６とが備えられている。
【００２４】
前記遊技開口５には、矩形板状の遊技盤８が、遊技開口５全体を後方から塞ぐように配設され、また、該遊技盤８の前方には、遊技盤８前面を透視可能遮蔽する遊技扉１０が配設される。この遊技扉１０は、略方形状の枠部１５に２枚の透明板９を具備してなり、該枠部１５の左側部を遊技開口５の左側縁に枢支されることにより、開閉可能となっている。
【００２５】
遊技盤８は、図２に示すように、木製合板１３の前面全体に、プラスチックシートに装飾が施したセル板１４を貼付してなるものである。遊技盤８の前面には、長尺な金属レール１６を、湾曲して取り付けることにより、円形の遊技領域７と円弧状の案内通路１７が区画形成されており、遊技盤８の右下方に配設される発射装置（図示省略）から発射された遊技球を、案内通路１７を介して遊技領域７左上部へ放出するようになっている。そして、遊技領域７には、遊技釘１８等の各種遊技部材が配設されており、遊技領域７へ放出された遊技球は、遊技部材間を転動流下し、遊技盤８に形成されるアウト口２０や入賞口１９に流入し、遊技盤８の裏側へ排出される。
【００２６】
以下に、本発明の要部に係る構成を詳細に説明する。
本発明に係る磁気検知ユニット２２は、入賞口１９の近傍など、磁石による不正が行われ易い箇所に遊技盤８の背面側から取り付けられる。
【００２７】
磁気検知ユニット２２は、図３，４に示すように、二個の杆状のリードスイッチ２５，２５が実装されたプリント基板２７をハウジング２６の内部に装着してなるものである。
【００２８】
ハウジング２６は、樹脂製の直方体状箱型部材であり、その内部には背面側に開口する収容部３１が形成されている。収容部３１の内側面には左右一対の保持溝２９，２９が前後方向に形成されており、保持溝２９にプリント基板２７の両端部を後方から内嵌させることによって収容部３１の内部にプリント基板２７を水平に保持可能となっている。また、一方の保持溝２９の入口付近には係止突部３０が形成されており、プリント基板２７を収容部３１の奥まで挿入すると、係止突部３０がプリント基板２７の角に形成された切欠３５と係合してプリント基板２７が引き抜き困難に係止される。また、ハウジング２６の後端には、左右一対のフランジ部２８，２８が外側に向けて形成される。各フランジ部２８には貫通孔３３が形成されており、該フランジ部２８を遊技盤８の背面に螺子止め又は釘止めすることによってハウジング２６を遊技盤８に固定するようになっている（図５参照）。
【００２９】
リードスイッチ２５は、磁気検知に用いられる汎用品を好適に使用できる。これらはガラス管の部分を樹脂でカバーしたものや、ケースに収容したものを用いることもできる。また、二個のリードスイッチ２５は同種のものでなくてもよい。
【００３０】
プリント基板２７は、一般的なプリント基板であり、上述のように、その両側部をハウジング２６の保持溝２９と嵌合させることによってハウジング２６内部に水平に保持される。プリント基板２７の上面には、二個のリードスイッチ２５がＴ字状をなすように実装されており、「Ｔ字」の横棒を構成するリードスイッチ２５が前方寄りに位置するようにハウジング２６に保持される。各リードスイッチ２５は、プリント基板２７の配線を介してプリント基板２７の左後端部に取り付けられたコネクタ３２と電気的に接続されており、該コネクタ３２を介してパチンコ機１の制御装置（図示省略）に接続される。
【００３１】
磁気検知ユニット２２は、図５に示すように、遊技盤８の背面に前方へ向けて形成された装着穴２３に嵌着される。装着穴２３は木製合板１３の背面から前方に非貫通状に穿設されて、その奥面（前側の内壁面）を遊技盤面Ａ近くに位置させるものであり、且つ、上記磁気検知ユニット２２を密嵌させ得る形状に形成されたものである。すなわち、磁気検知ユニット２２が装着穴２３の奥まで内嵌した状態で、ハウジング２６の前面が装着穴２３の奥面に密接するとともに、ハウジング２６の上下左右の外側面が装着穴２３の内周面（上下左右の内壁面）と当接している。そして、かかる状態で、フランジ部２８，２８が遊技盤８の背面に当接し、固定釘３７によって固定されている。
【００３２】
かかる構成にあっては、前方から透明板９に近づけた磁石がリードスイッチ２５，２５の検知領域Ｃ（図６参照）に侵入すると、リードスイッチ２５が該磁石の磁気に反応してＯＮ作動する。そして、ＯＮ作動を制御装置（図示省略）が検知して警告ランプを点灯させる。なお、制御装置の構成や磁気検知時の警告態様は既存のパチンコ機の構成を適用可能であるため、詳細な説明は省略する。
【００３３】
このように、本実施例に係る磁気検知ユニット２２は、二個のリードスイッチ２５を実装したプリント基板１７をハウジング２６に収容してなるものであるから、予めリードスイッチ２５をプリント基板２７に実装しておけば、小さく精密なリードスイッチ２５を直接触れることなく遊技盤８に装着できる。また、二個のリードスイッチ２５はプリント基板２７に実装され、ハウジング２６の保持溝に保持されるため、リードスイッチ２５を所要の角度で正確に設置でき、各リードスイッチ２５の検知領域を適切な領域に形成できる。このため、本実施例の構成にあっては、各リードスイッチによって磁石を正確に検知でき、また、該リードスイッチが他の遊技部材の生じる磁気に反応して誤作動するおそれもない。
【００３４】
また、各リードスイッチ２５はプリント基板２７の配線を介してコネクタ３２と接続されているから、該コネクタ３２を介して各リードスイッチ２５を一括して制御装置に接続できる。
【００３５】
また、プリント基板２７は、背面側の開口からハウジング２６の収容部２３に収容する構成となっているから、リードスイッチ２５が故障した時に、ハウジング２６を装着穴２３に嵌着したままプリント基板２７を交換するだけで修理できる。また、磁気検知ユニット２２の製造時には、先にハウジング２３のみを装着穴２３に嵌着してから、リードスイッチ２５を実装したプリント基板２７を背面側の開口から収容部２３に収容することができ、多様な製造方法が可能となる。
【００３６】
また、かかる構成にあっては、図５に示すように、磁気検知ユニット２２の二個のリードスイッチ２５が遊技盤面Ａに対して垂直な面（水平面）に沿ってＴ字状に配置される。このため、図６に示すように、遊技盤面Ａに平行に配置されたリードスイッチ２５の検知領域Ｃ１と、遊技盤面Ａに垂直に配置されたリードスイッチ２５の検知領域Ｃ２が合成されることによって、磁気検知ユニット２２の前方には、広く、隙のない検知領域Ｃが形成される。特に、本実施例にあっては、図５に示すように、二個のリードスイッチ２５のうち、遊技盤面Ａと平行なものを前寄りに配置しており、さらに、装着穴２３を遊技盤面Ａ近くまで形成することで該リードスイッチ２５を遊技盤面Ａ近くに配置しているから、図６に示すように、当該リードスイッチ２５の検知領域Ｃ１が透明板９のかなり前方にまで形成され、該検知領域Ｃ１によって磁石による不正を適切に検知可能となっている。
【００３７】
また、本実施例にあっては、磁気検知ユニット２２が、ハウジング２６の前面を装着穴２３の奥面に当接した状態で遊技盤８に固定され、装着穴２３の奥面を背面側から支持している。このため、図５に示すように、装着穴２３が遊技盤面Ａ近くまで形成されて、装着穴２３の形成部分で遊技盤８自体の強度が不足しても、遊技盤８は凹んだり破損したりすることがない。また、本実施例にあっては、磁気検知ユニット２２のハウジング２６が、装着穴２３の内周面全体に当接した状態で遊技盤８に固定され、装着穴２３の内周面も支持している。このため、図５に示すように、磁気検知ユニット２２の近傍に遊技釘１８が打ち込まれていても、当該遊技釘１８の調整時に加わる負荷によって装着穴２３の内周面が破損するおそれがない。
【００３８】
次に、上記実施例の構成を一部変更した変形例について説明する。なお、下記の説明では、上記実施例と構成の共通する部分に関しては符号を共通させて説明を省略する。
【００３９】
図７は、上記実施例の構成を変更した変形例を示すものである。かかる変形例では、装着穴２３ａが遊技盤８を構成する木製合板１３を貫通しており、装着穴２３ａの奥面（前側の内壁面）がセル板１４の裏面によって形成され、磁気検知ユニット２２は、ハウジング２６の前面をセル板１４の裏面に当接した状態で遊技盤８に固定される。かかる構成にあっては、図７に示すように、磁気検知ユニット２２を遊技盤面Ａに露出させることなく、可能な限り前方に配置できるため、リードスイッチ２５の検知領域を遊技盤面Ａのより前方に形成することができ、遊技盤面Ａから離れた位置にある磁石を検知し易くなる。また、本実施例にあって、セル板１４の、装着穴２３の奥面を形成する部位は、ハウジング２６によって背面側から支持されるので、遊技球が当たってもセル板１４が破損するおそれはない。
【００４０】
図８，９は、磁気検知ユニットの固定態様を変更した変形例を示すものである。かかる変形例においては、磁気検知ユニット２２ａのハウジング２６の左右外側部にゴム製の弾性材４０，４０が一体的に接合される。かかる弾性材４０の外側面には、後方寄りに突出する突部４１が複数形成されており、該弾性材４０を装着穴２３の内周面に圧接させながら磁気検知ユニット２２ａを装着穴２３に挿入すると、突部４１が装着穴２３の内周面に弾接して磁気検知ユニット２２ａが固定される。かかる構成にあっては、磁気検知ユニット２２ａを釘や螺子で固定する手間が不要であるため、磁気検知ユニット２２ａを遊技盤８に簡単に装着できる。また、ハウジング２６が弾性材４０を介して装着穴２３の内周面と弾接しているため、装着穴２３の内周面をより強固に支持できるという利点がある。
【００４１】
図１０は、磁気検知ユニットの固定態様を変更した変形例を示すものである。かかる変形例では、磁気検知ユニット２２ｂのハウジング２６は、その外表面に配された接着剤３９によって、装着穴２３の奥面及び内周面と一体的に接着される。かかる構成にあっては、装着穴２３とハウジング２６とが接着剤３９を介して密着されるため、ハウジング２６によって装着穴２３の奥面及び内周面がムラなく均一に支持される。
【００４２】
図１１は、磁気検知ユニットの変形例を示すものである。かかる変形例の磁気検知ユニット２２ｃは、二個のリードスイッチ２５を遊技盤面Ａに対してＴ字状をなすようにハウジング２６ａ内に配置するものである。具体的には、ハウジング２６ａは略立方体形状をなしており、その後端には、遊技盤８の背面に釘止めされる一対のフランジ部２８ａ，２８ａが外側に向けて形成されている。ハウジング２６ａの収容部３１ａは、上部及び後部に開口している。そして、収容部３１ａの左右の内側面には、前縁寄りに左右一対の保持溝２９ａ，２９ａが上下方向に形成されており、保持溝２９ａにプリント基板２７ａの両端部を内嵌させることによって、該プリント基板２７ａが遊技盤面Ａと平行な姿勢で収容部３１ａ内に保持される。収容部３１ａに保持されるプリント基板２７ａは上記実施例のプリント基板２７と略同じものであり、その板面には二個のリードスイッチ２５がＴ字状に配置され、左下部にはコネクタ３２ａが取り付けられている。このように、上記実施例ではハウジング内にプリント基板が水平に保持されていたが、本発明においては、プリント基板を保持する角度は特に限定されず、本変形例のように遊技盤面と平行にプリント基板を保持してもかまわない。
【００４３】
図１２，１３は、上記実施例から、プリント基板２７に実装するリードスイッチ２５の配置を変更した変形例を示すものである。図１２（ａ），（ｂ）は、プリント基板２７に二個のリードスイッチ２５をＶ字状又はハ字状に配置した変形例である。かかる変形例では、二個のリードスイッチ２５が遊技盤面Ａに対して夫々異なる角度で傾くことにより、遊技盤面Ａ前方に広い検知領域が形成されることとなる。また、図１３（ａ）は、プリント基板２７の両面にリードスイッチ２５を取り付けることによって二個のリードスイッチ２５をＸ字状に配置した変形例である。かかる変形例にあっても、二個のリードスイッチ２５が遊技盤面Ａに対して夫々異なる角度で傾くことで、遊技盤面Ａ前方に広い検知領域が形成される。また、図１３（ｂ）は、二個のリードスイッチ２５を遊技盤面Ａと平行な直線に沿うようにプリント基板２７に配置した変形例である。かかる変形例にあっては、一方のリードスイッチ２５の検知領域Ｃ３と他方のリードスイッチ２５の検知領域Ｃ４とが、互いのリードスイッチ２５の真正面の非検知領域を解消するように形成されるため、全体として広く、隙のない検知領域が形成される。このように、上記実施例では、プリント基板２７に対して二個のリードスイッチ２５がＴ字状に配置されていたが、プリント基板２７に配置するリードスイッチ２５の数や配置は、磁気検知ユニットの設置場所や、リードスイッチの感度等に合わせて適宜変更可能である。
【００４４】
また、図１４は、磁気検知ユニットの変形例を示すものである。かかる変形例の磁気検知ユニット２２ｄは、三個の杆状リードスイッチ２５を、ハウジング２６ｂ内に、前後、左右、上下に配置している。詳述すると、ハウジング２６ｂは略直方体形状をなしており、その後端には、遊技盤８の背面に釘止めされる一対のフランジ部２８ｂ，２８ｂが外側に向けて形成されている。ハウジング２６ｂの収容部３１ｂは、上部及び後部に開口している。収容部３１ｂの左右の内側面には、中央部を前後に横断するように一対の保持溝２９ｂ，２９ｂが形成されており、該保持溝２９ｂに後方からプリント基板２７ｂの両端部を内嵌させることによって、該プリント基板２７ｂが収容部３１ｂ内に水平な姿勢で保持される。また、収容部３１ｂの左右の内側面には、前縁寄り位置に一対の保持溝２９ｃ，２９ｃが上下方向に形成されており、該保持溝２９ｃに上方からプリント基板２７ｃの両端部を内嵌させることによって、該プリント基板２７ｃが遊技盤面Ａと平行な姿勢で収容部３１ｂの前寄りに保持される。収容部３１ｂに水平に保持されるプリント基板２７ｂは、上記実施例のプリント基板２７と同構成のものであり、その上面には二個のリードスイッチ２５がＴ字状に配置されている。一方、遊技盤面Ａと平行に保持されるプリント基板２７ｃには、一個のリードスイッチ２５が鉛直方向に実装されており、その右上部には該リードスイッチ２５と電気的に接続するコネクタ３２ｂが配設される。
【００４５】
かかる構成にあっては、図１５に示すように、水平なプリント基板２７ｂにＴ字状に実装された二個のリードスイッチ２５ａ，２５ｂと、遊技盤面Ａと平行なプリント基板２７ｃに実装された上下方向のリードスイッチ２５ｃとが、前後、左右、上下の三軸方向に夫々配置される。かかる構成では、上下、左右に配置された二個のリードスイッチ２５ｂ，２５ｃが、遊技盤面Ａに対して十字状に交差するよう配置されて、遊技盤面Ａの前方に広い検知領域を形成する。そして、上下、左右のリードスイッチ２５ｂ，２５ｃの真後ろに前後に配置された一個のリードスイッチ２５ａが、上下、左右リードスイッチ２５ｂ，２５ｃの真正面に検知領域を形成することによって、全体として隙間のない検知領域が形成される。
【００４６】
図１６，１７は、磁気検知ユニットの別の変形例を示すものである。かかる変形例の磁気検知ユニット２２ｅにあっては、ハウジング２６の後部に磁気シールド４２が周設される。磁気シールド４２は、強磁性体（鉄）を無端環状の板片に成形してなるものであり、ハウジング２６の後部を周囲から被覆するようにハウジング２６に外嵌している。かかる構成では、磁気シールド４２の作用によって、磁気検知ユニット２２ｅの周囲に配設される形成されるソレノイドやその他の電子機器の発する磁気によって磁気検知ユニットが誤作動し難くなる。このため、かかる構成にあっては、磁気検知ユニットを他の電子機器の一層近くに配設可能となり、磁気検知ユニットの配置の自由度が向上される。
【００４７】
なお、本発明におけるパチンコ機は、上記実施例の形態に限らず本発明の要旨を逸脱しない範囲内において種々変更を加えることができる。
【００４８】
例えば、本発明に係る磁気検知ユニットは、パチンコ機に少なくとも一つ配設されていればよく、また、その他の構成の磁気センサを備えていてもかまわない。
【００４９】
また、ハウジングの構成材料としては、樹脂に限らず非磁性金属を用いてもかまわない。また、磁気検知ユニットの性能を大きく損なわない範囲であればハウジングの構成材料に磁性体を用いてもかまわない。
【図面の簡単な説明】
【００５０】
【図１】実施例のパチンコ機１の斜視図である。
【図２】遊技盤８の斜視図である。
【図３】磁気検知ユニット２２の斜視図である。
【図４】磁気検知ユニット２２の分解斜視図である。
【図５】磁気検知ユニット２２の装着部分を含む遊技盤８の部分横断面図である。
【図６】磁気検知ユニット２２の検知領域Ｃを示す説明図である。
【図７】変形例に係る遊技盤８の部分横断面図である。
【図８】変形例に係る磁気検知ユニット２２ａの斜視図である。
【図９】変形例に係る遊技盤８の部分横断面図である。
【図１０】変形例に係る遊技盤８の部分横断面図である。
【図１１】変形例に係る磁気検知ユニット２２ｃの分解斜視図である。
【図１２】リードスイッチ２５の別の配置態様を示す説明図である。
【図１３】リードスイッチ２５の別の配置態様を示す説明図である。
【図１４】変形例に係る磁気検知ユニット２２ｄの分解斜視図である。
【図１５】変形例に係るリードスイッチ２５の配置態様を示す説明図である。
【図１６】変形例に係る磁気検知ユニット２２ｅの斜視図である。
【図１７】変形例に係る遊技盤８の部分横断面図である。
【図１８】リードスイッチ２５の検知領域Ｃを示す説明図である。
【符号の説明】
【００５１】
１  パチンコ機
８  遊技盤
９  透明板
１３  木製合板
１４  セル板
１８  遊技釘
２２，２２ａ，２２ｂ，２２ｃ，２２ｄ，２２ｅ  磁気検知ユニット
２３，２３ａ  装着穴
２５，２５ａ，２５ｂ，２５ｃ  リードスイッチ
２６，２６ａ，２６ｂ  ハウジング
２７，２７ａ，２７ｂ，２７ｃ  プリント基板
２８，２８ａ，２８ｂ  フランジ部
２９，２９ａ，２９ｂ，２９ｃ  保持溝
３１，３１ａ，３１ｂ  収容部
３２，３２ａ，３２ｂ  コネクタ
３９  接着剤
４０  弾性材
４２  磁気シールド
Ａ  遊技盤面
Ｂ  磁石
Ｃ，Ｃ１，Ｃ２，Ｃ３，Ｃ４  検知領域
【図１】
2010057762.tif 000003
【図２】
2010057762.tif 000004
【図３】
2010057762.tif 000005
【図４】
2010057762.tif 000006
【図５】
2010057762.tif 000007
【図６】
2010057762.tif 000008
【図７】
2010057762.tif 000009
【図８】
2010057762.tif 000010
【図９】
2010057762.tif 000011
【図１０】
2010057762.tif 000012
【図１１】
2010057762.tif 000013
【図１２】
2010057762.tif 000014
【図１３】
2010057762.tif 000015
【図１４】
2010057762.tif 000016
【図１５】
2010057762.tif 000017
【図１６】
2010057762.tif 000018
【図１７】
2010057762.tif 000019
【図１８】
2010057762.tif 000020